(57)【要約】【課題】液晶表示装置をスリム化する。【解決手段】本発明の一実施形態に係る液晶表示装置は、表示板を含む液晶表示パネルアセンブリと、光源を含むバックライトアセンブリと、バックライトアセンブリを収納するボトムシャーシと、ボトムシャーシの側部と接触しながら結合されている第１側部、及び光源を固定する第２側部を含む加圧板と、を含み、ボトムシャーシは、ボトムシャーシの側部から屈曲されている連結部、及び連結部から屈曲されているボディ部を含むことを特徴とする。【選択図】図１
2013092749.tif 000002
【特許請求の範囲】
【請求項１】
表示板を含む液晶表示パネルアセンブリと、
光源を含むバックライトアセンブリと、
前記バックライトアセンブリを収納するボトムシャーシと、
前記ボトムシャーシの側部と接触しながら結合されている第１側部、及び前記光源を固定する第２側部を含む加圧板と、
を含むことを特徴とする液晶表示装置。
【請求項２】
前記ボトムシャーシは、前記ボトムシャーシの側部から屈曲されている連結部、及び前記連結部から屈曲されているボディ部を含むことを特徴とする請求項１に記載の液晶表示装置。
【請求項３】
前記加圧板の第２側部、前記ボトムシャーシの連結部、及び前記ボトムシャーシのボディ部は「⊂」状構造であることを特徴とする請求項２に記載の液晶表示装置。
【請求項４】
前記加圧板の第１側部の底面と前記ボトムシャーシの側部の上面とが互いに接触することを特徴とする請求項１に記載の液晶表示装置。
【請求項５】
前記ボトムシャーシと前記加圧板はスポット溶接によって結合されることを特徴とする請求項１に記載の液晶表示装置。
【請求項６】
前記バックライトアセンブリは導光板を含み、前記加圧板の第２側部は前記導光板を固定することを特徴とする請求項１に記載の液晶表示装置。
【請求項７】
前記加圧板は屈曲されている中間部を含むことを特徴とする請求項６に記載の液晶表示装置。
【請求項８】
前記光源は、前記液晶表示パネルアセンブリの上側、下側、左側、及び右側のうちの少なくともいずれか一つに配置されることを特徴とする請求項６に記載の液晶表示装置。
【請求項９】
前記光源の位置に対応する位置に前記加圧板を配置することを特徴とする請求項８に記載の液晶表示装置。
【請求項１０】
前記加圧板は屈曲されている中間部を含むことを特徴とする請求項９に記載の液晶表示装置。
【請求項１１】
前記光源は、前記液晶表示パネルアセンブリの上側、下側、左側、及び右側のうちの少なくともいずれか一つに配置する、請求項１に記載の液晶表示装置。
【請求項１２】
前記光源の位置に対応する位置に前記加圧板を配置することを特徴とする請求項１１に記載の液晶表示装置。
【請求項１３】
前記加圧板は屈曲されている中間部を含むことを特徴とする請求項１２に記載の液晶表示装置。
【請求項１４】
前記加圧板の第２側部と前記ボトムシャーシのボディ部との間隔は１ｍｍ以下であることを特徴とする請求項１に記載の液晶表示装置。
【請求項１５】
前記加圧板は、前記加圧板の一部が延長されている加圧板突出部を含み、前記加圧板突出部は前記加圧板の第１側部に配置されることを特徴とする請求項１に記載の液晶表示装置。
【請求項１６】
前記加圧板の第１側部と前記加圧板突出部は同一の平面上に配置されることを特徴とする請求項１５に記載の液晶表示装置。
【請求項１７】
前記ボトムシャーシは、前記ボトムシャーシの一部が延長されているボトムシャーシ突出部を含み、前記ボトムシャーシ突出部は前記ボトムシャーシの側部に配置されることを特徴とする請求項１に記載の液晶表示装置。
【請求項１８】
前記ボトムシャーシの側部と前記ボトムシャーシ突出部は同一の平面上に配置されることを特徴とする請求項１７に記載の液晶表示装置。
【請求項１９】
シャーシを準備し、
第１屈曲線に沿って第１角度方向に前記シャーシを屈曲して前記シャーシの側部を形成し、
第２屈曲線に沿って第２角度方向に前記シャーシを屈曲して前記シャーシの連結部と前記シャーシのボディ部を形成し、前記連結部は、前記第１屈曲線と前記第２屈曲線との間に配置し、
加圧板を準備し、
第３屈曲線に沿って第３角度方向に前記加圧板を屈曲して前記加圧板の第１側部を形成し、
第４屈曲線に沿って第４角度方向に前記加圧板を屈曲して前記加圧板の中間部と前記加圧板の第２側部を形成し、前記中間部は前記第３屈曲線と前記第４屈曲線との間に配置し、
前記シャーシの前記側部を前記加圧板の前記第１側部と結合して、前記加圧板と前記ボディ部との間の第１長さを有する空間を形成することを特徴とする光源を含むシャーシの製造方法。
【発明の詳細な説明】
【技術分野】
【０００１】
本発明は、液晶表示装置を提供する。
【背景技術】
【０００２】
液晶表示装置は、現在、最も幅広く用いられている平板表示装置の一つであって、画素電極と共通電極など電界生成電極（ｆｉｅｌｄ  ｇｅｎｅｒａｔｉｎｇ  ｅｌｅｃｔｒｏｄｅ）が形成されている二枚の表示板と、その間に挿入される液晶層を含む。液晶表示装置は、電界生成電極に電圧を印加して液晶層に電場を生成し、これを通じて液晶層の液晶分子の方向を決定し、入射光の偏光を制御することによって、映像を表示する。液晶表示装置は、電極と液晶層などを含む液晶表示パネルアセンブリ（ｌｉｑｕｉｄ  ｃｒｙｓｔａｌ  ｄｉｓｐｌａｙ  ｐａｎｅｌ  ａｓｓｅｍｂｌｙ）、光源を含むバックライトアセンブリ（ｂａｃｋｌｉｇｈｔ  ａｓｓｅｍｂｌｙ）、及び液晶表示装置のフレームに該当するシャーシ（ｃｈａｓｓｉｓ）を含む。
【０００３】
最近、液晶表示装置をスリム（ｓｌｉｍ）化するために、液晶表示パネルアセンブリ、バックライトアセンブリ、及びシャーシのような液晶表示装置の構成をスリムに設計している。
【先行技術文献】
【特許文献】
【０００４】
【特許文献１】米国特許出願公開第２００９／０１９５７２６号明細書
【発明の概要】
【発明が解決しようとする課題】
【０００５】
本発明の目的は、液晶表示装置をスリム化することにある。
【０００６】
上記の課題以外にも、具体的に言及されない他の課題を達成するために本発明を用いることができる。
【課題を解決するための手段】
【０００７】
本発明の一実施形態に係る液晶表示装置は、表示板を含む液晶表示パネルアセンブリと、光源を含むバックライトアセンブリと、前記バックライトアセンブリを収納するボトムシャーシと、前記ボトムシャーシの側部と接触しながら結合されている第１側部、及び前記光源を固定する第２側部を含む加圧板と、を含むことを特徴とする。
【０００８】
前記ボトムシャーシは、前記ボトムシャーシの側部から屈曲されている連結部、及び前記連結部から屈曲されているボディ部を含んでもよい。
【０００９】
前記加圧板の第２側部、前記ボトムシャーシの連結部、及び前記ボトムシャーシのボディ部は「⊂」状構造であってもよい。
【００１０】
前記加圧板の第１側部の底面と前記ボトムシャーシの側部の頂上面とは、互いに接触してもよい。
【００１１】
前記ボトムシャーシと前記加圧板は、スポット溶接によって結合してもよい。
【００１２】
前記バックライトアセンブリは導光板を含み、前記加圧板の第２側部は前記導光板を固定してもよい。
【００１３】
前記加圧板は、屈曲されている中間部を含んでもよい。
【００１４】
前記光源は、前記液晶表示パネルアセンブリの上側、下側、左側、及び右側のうちの少なくともいずれか一つに配置してもよい。
【００１５】
前記光源の位置に対応する位置に前記加圧板を配置してもよい。
【００１６】
前記加圧板の第２側部と前記ボトムシャーシのボディ部との間隔は、１ｍｍ以下としてもよい。
【００１７】
前記加圧板は、前記加圧板の一部が延長されている加圧板突出部を含み、前記加圧板突出部は、前記加圧板の第１側部に配置してもよい。
【００１８】
前記加圧板の第１側部と前記加圧板突出部は、同一の平面上に配置してもよい。
【００１９】
前記ボトムシャーシは、前記ボトムシャーシの一部が延長されているボトムシャーシ突出部を含み、前記ボトムシャーシ突出部は、前記ボトムシャーシの側部に配置してもよい。
【００２０】
前記ボトムシャーシの側部と前記ボトムシャーシ突出部は、同一の平面上に配置してもよい。
【００２１】
本発明の一実施形態に係る光源を含むシャーシの製造方法は、シャーシを準備し、第１屈曲線に沿って第１角度方向に前記シャーシを屈曲して前記シャーシの側部を形成し、第２屈曲線に沿って第２角度方向に前記シャーシを屈曲して前記シャーシの連結部と前記シャーシのボディ部を形成し、前記連結部は、前記第１屈曲線と前記第２屈曲線との間に配置し、加圧板を準備し、第３屈曲線に沿って第３角度方向に前記加圧板を屈曲して前記加圧板の第１側部を形成し、第４屈曲線に沿って第４角度方向に前記加圧板を屈曲して前記加圧板の中間部と前記加圧板の第２側部を形成し、前記中間部は、前記第３屈曲線と前記第４屈曲線との間に配置し、前記シャーシの前記側部を前記加圧板の前記第１側部と結合して、前記加圧板と前記ボディ部との間の第１長さを有する空間を形成することを特徴とする。
【発明の効果】
【００２２】
本発明によれば、液晶表示装置をスリム化することができる。
【図面の簡単な説明】
【００２３】
【図１】本発明の一実施形態に係る液晶表示装置を示す概略断面図である。
【図２】本発明の一実施形態に係るボトムシャーシと加圧板を示す概略斜視図である。
【図３Ａ】本発明の一実施形態に係るボトムシャーシと加圧板を示す概略断面図である。
【図３Ｂ】従来のボトムシャーシを示す概略断面図である。
【図４】本発明の一実施形態に係るボトムシャーシと加圧板を示す概略斜視図である。
【図５】本発明の一実施形態に係るボトムシャーシと加圧板を示す概略斜視図である。
【発明を実施するための形態】
【００２４】
添付した図面を参照して、本発明の実施形態について本発明が属する技術分野における通常の知識を有する者が容易に実施できるように詳細に説明する。本発明は種々の異なる形態に実現でき、ここで説明する実施形態に限られない。図面において、本発明を明確に説明するために説明上、不必要な部分は省略し、明細書の全体にわたって同一または類似する構成要素に対しては同一の図面符号を付した。また、広く知られている公知技術の場合、その具体的な説明は省略する。
【００２５】
図面において、種々の層及び領域を明確に表現するために厚さを拡大して示した。層、膜、領域、板などの部分が他の部分の「上」にあるというとき、これは他の部分の「すぐ上」にある場合だけでなく、その中間に他の部分がある場合も含む。一方、ある部分が他の部分の「すぐ上」にあるという時には、中間に他の部分がないことを意味する。反対に、層、膜、領域、板などの部分が他の部分の「下」にあるという時、これは他の部分の「すぐ下」にある場合だけでなく、その中間に他の部分がある場合も含む。一方、ある部分が他の部分「すぐ下」にあるという時には、中間に他の部分がないことを意味する。
【００２６】
図１は、本発明の一実施形態に係る液晶表示装置を示す概略断面図である。図２は、本発明の一実施形態に係るボトムシャーシと加圧板を示す概略斜視図である。図３Ａは、本発明の一実施形態に係るボトムシャーシと加圧板を示す概略断面図である。図３Ｂは、従来のボトムシャーシを示す概略断面図である。
【００２７】
図１を参照すると、液晶表示装置は、映像を表示する液晶表示パネルアセンブリ３００、光を発生するバックライトアセンブリ３４０、及び液晶表示パネルアセンブリ３００とバックライトアセンブリ３４０を収納するボトムシャーシ３６０を含む。
【００２８】
液晶表示パネルアセンブリ３００は、第１表示板１００、第２表示板２００、及び第１表示板１００と第２表示板２００との間に注入された液晶層を含む。
【００２９】
第１表示板１００はマトリックス状の複数の画素を含む。画素は第１方向に延長されているゲート線、第２方向に延長されているデータ線、及び画素電極を含む。画素は、ゲート線、データ線、及び画素電極に接続されている薄膜トランジスタ（ｔｈｉｎ  ｆｉｌｍ  ｔｒａｎｓｉｓｔｏｒ）を含む。
【００３０】
所定の色を表現するカラーフィルタ（ｃｏｌｏｒ  ｆｉｌｔｅｒ）は、第１表示板１００または第２表示板２００に配置してもよく、光漏れなどの現象を防止するブラックマトリックス（ｂｌａｃｋ  ｍａｔｒｉｘ）は第１表示板１００または第２表示板２００に配置してもよい。画素電極に対応する共通電極（ｃｏｍｍｏｎ  ｅｌｅｃｔｒｏｄｅ）は第１表示板１００または第２表示板２００に配置してもよい。
【００３１】
液晶層の液晶分子は、画素電極及び共通電極に印加される電圧によって動くことによって、バックライトアセンブリ３４０から提供される光の偏光状態を変化させる。
【００３２】
第１表示板１００は、ゲート信号を印加するゲート駆動部、及びデータ信号を印加するデータ駆動部を含み、ゲート駆動部とデータ駆動部のうちの少なくとも一つは第１表示板に集積（ｉｎｔｅｇｒａｔｅｄ）される。
【００３３】
第１表示板１００の端部には、ゲート駆動部及びデータ駆動部などの駆動部を制御する制御信号を印加するフレキシブル回路基板（ｆｌｅｘｉｂｌｅ  ｐｒｉｎｔｅｄ  ｃｉｒｃｕｉｔ）を配置する。フレキシブル回路基板は、制御信号のタイミングを調節するタイミングコントローラ（ｔｉｍｉｎｇ  ｃｏｎｔｒｏｌｌｅｒ）、及びデータ信号を記憶するメモリ（ｍｅｍｏｒｙ）などの回路素子を含む。フレキシブル回路基板は、導電フィルムなどの連結部材（ｃｏｎｎｅｃｔｉｏｎ  ｍｅｍｂｅｒ）によって第１表示板１００に電気的に接続される。
【００３４】
液晶表示パネルアセンブリ３００の下面または後面には第１表示板１００及び第２表示板２００に光を供給するためのバックライトアセンブリ３４０を配置する。
【００３５】
バックライトアセンブリ３４０は、光を発生する光源（ｌｉｇｈｔ  ｓｏｕｒｃｅ）３４４、光の経路をガイドするための導光板（ｌｉｇｈｔ  ｇｕｉｄｅ  ｐｌａｔｅ、ＬＧＰ）３４２、導光板３４２から出射した光の輝度を均一にする光学シート（ｏｐｔｉｃａｌ  ｓｈｅｅｔｓ）３４３、及び光源３４４を支持する支持板（ｓｕｐｐｏｒｔ  ｐｌａｔｅ）３８０を含む。バックライトアセンブリ３４０はモールドフレーム（ｍｏｌｄｆｒａｍｅ）によって固定する。
【００３６】
光源３４４は、導光板３４２の上側（ｕｐｐｅｒ  ｓｉｄｅ）、下側（ｌｏｗｅｒ  ｓｉｄｅ）、左側（ｌｅｆｔ  ｓｉｄｅ）、及び右側（ｒｉｇｈｔ  ｓｉｄｅ）のうちの少なくとも一つに配置し、支持板３８０によって固定する。光源３４４は光を導光板３４２に提供する。例えば、光源３４４としては、冷陰極蛍光ランプ（ｃｏｌｄ  ｃａｔｈｏｄｅ  ｆｌｕｏｒｅｓｃｅｎｔ  ｌａｍｐ、ＣＣＦＬ）、外部電極蛍光ランプ（ｅｘｔｅｒｎａｌ  ｅｌｅｃｔｒｏｄｅ  ｆｌｕｏｒｅｓｃｅｎｔ  ｌａｍｐ、ＥＥＦＬ）、及び発光ダイオード（ｌｉｇｈｔ  ｅｍｉｔｔｉｎｇ  ｄｉｏｄｅ）などがある。
【００３７】
導光板３４２は、映像が表示される第１表示板１００及び第２表示板２００の表示領域に光をガイドするための導光パターンを配置してもよい。
【００３８】
導光板３４２と液晶表示パネルアセンブリ３００の間には光学シート３４３を配置する。光学シート３４３は、導光板３４２から提供された光の輝度を均一にして、光を第１表示板１００及び第２表示板２００に提供する。
【００３９】
導光板３４２の下面又は後面には光の利用効率を改善するために反射板を配置してもよい。
【００４０】
図１及び図２を参照すると、ボトムシャーシ３６０はバックライトアセンブリ３４０の下部又は後部に配置し、バックライトアセンブリ３４０と液晶表示パネルアセンブリ３００を収納する。ボトムシャーシ３６０は一側が屈曲（ｂｅｎｔ）され、加圧板３７０と共にほぼ「⊂」状構造を形成する。「⊂」状構造によって光源３４４が強く固定される。また、「⊂」状構造によって導光板３４２が強く固定され、導光板３４２の折れ曲がり（ｂｅｎｄｉｎｇ）、浮き（ｌｉｆｔｉｎｇ）などの現象が防止でき、光源３４４と導光板３４２の整列不良（ｍｉｓａｌｉｇｎｍｅｎｔ）による光源３４４の光漏れ現象が防止できる。
【００４１】
ボトムシャーシ３６０は側部（ｓｉｄｅ  ｐｏｒｔｉｏｎ）３６１を含み、側部３６１から屈曲されている連結部（ｃｏｎｎｅｃｔｉｏｎ  ｐｏｒｔｉｏｎ）３６２、及び連結部３６２から屈曲されているボディ部（ｂｏｄｙ  ｐｏｒｔｉｏｎ）３６３を含むことができる。
【００４２】
ボトムシャーシ３６０の側部３６１と加圧板３７０の第１側部３７１とは互いに結合される。加圧板３７０の第１側部３７１の底面（ｂｏｔｔｏｍ  ｓｕｒｆａｃｅ）とボトムシャーシ３６０の側部３６１の頂上面（ｔｏｐ  ｓｕｒｆａｃｅ）とは互いに接触する。例えば、ボトムシャーシ３６０の一側と加圧板３７０の一側とはスポット溶接（ｓｐｏｔ  ｗｅｌｄｉｎｇ）によって互いに結合される。これら点（ｓｐｏｔｓ）の位置、間隔、及び大きさは適切に調節可能である。例えば、スポットはジグザグ状に位置してもよく、直線状に位置してもよい。ボトムシャーシ３６０の側部３６１と加圧板３７０の第１側部３７１とが接触している幅ａは約０．１ｍｍ以上約２．０ｍｍ以下としてもよい。加圧板３７０の第１側部３７１の幅は、ボトムシャーシ３６０の側部３６１の幅より大きいか、またはほぼ同一にしてもよい。
【００４３】
加圧板３７０の第２側部３７２、ボトムシャーシ３６０の連結部３６２、及びボトムシャーシ３６０のボディ部３６３は、ほぼ「⊂」状構造を形成してもよい。加圧板３７０の第２側部３７２は光源３４４と導光板３４２を固定することができ、これによって光源３４４と導光板３４２は動かないことができる。
【００４４】
ボトムシャーシ３６０のアセンブリと加圧板３７０の製造及び結合は多重屈曲及び接合工程によって行ってもよい。例えば、平板状ボトムシャーシ３６０が用意されて、ボトムシャーシ３６０は第１屈曲線に沿って第１角度方向に屈曲され、これによって側部３６１を形成する。また、ボトムシャーシ３６０は第２屈曲線に沿って第２角度方向に屈曲され、これによって連結部３６２とボディ部３６３を形成する。ここで、平板状ボトムシャーシ３６０で第１屈曲線及び第２屈曲線の位置を適切に調節することによって、連結部３６２の幅が決定される。
【００４５】
ボトムシャーシ３６０の屈曲方法と同様に、平板状加圧板３７０を屈曲することによって、第１側部３７１、中間部３７３、及び第２側部３７２を形成する。平板状加圧板３７０の屈曲位置によって中間部３７３の幅が適切に決定される。例えば、ボトムシャーシ３６０の連結部３６２の幅と加圧板３７０の中間部３７３の幅は、ボトムシャーシ３６０のボディ部３６３と加圧板３７０の第２側部３７２との間隔に基づいて適切に決定される。
【００４６】
ボトムシャーシ３６０の側部３６１は多様な方法によって加圧板３７０の第１側部３７１と結合する。例えば、レーザを用いたスポット溶接方法がある。溶接されるスポットの個数と位置は適切に調節する。
【００４７】
ボトムシャーシ３６０と加圧板３７０は同一種類の材料を含んでもよく、他の種類の材料を含んでもよい。例えば、高強度を有するシャーシ材料を用いてもよく、このとき、シャーシ材料はレーザを用いたスポット溶接に使用可能な材料としてもよい。シャーシの材料の例としてＳＵＳのような金属がある。ＳＵＳは、ＪＩＳ規格（Ｊａｐａｎｅｓｅ  Ｉｎｄｕｓｔｒｉａｌ  Ｓｔａｎｄａｒｄｓ）によるステンレススチール（ｓｔａｉｎｌｅｓｓｓｔｅｅｌ）である。例えば、高い耐熱度を有するＳＵＳ３０４を用いることができ、この時、ＳＵＳ３０４の厚さはｔ０．１〜ｔ０．５の範囲であってもよい。
【００４８】
図３Ａを参照すると、ボトムシャーシ３６０のボディ部３６３と加圧板３７０の第２側部３７２は、第１高さｈ１離隔している。ボトムシャーシ３６０と加圧板３７０が共にほぼ「⊂」状構造を形成するため、従来に比べて第１高さｈ１を減少させることができ、そのためにスリムな液晶表示装置の製造が可能となり、光源３４４を固定させる力が強化される。例えば、第１高さｈ１は約１ｍｍ以下とすることができ、具体的に約０．８ｍｍ以下とすることができる。図３Ａに示すように、加圧板３７０の中間部３７３はクランク形状（ｃｒａｎｋ  ｓｈａｐｅ）に屈曲されていてもよい。予め定められた第１高さｈ１に基づいて、加圧板３７０が屈曲される程度は適切に調節可能である。例えば、第１高さｈ１はほぼボトムシャーシ３６０の連結部３６２の幅と加圧板３７０の中間部３７３の幅の差に相当し、連結部３６２の幅と中間部３７３の幅を適切に調節することによって、第１高さｈ１は簡単に調節可能である。また、第１高さｈ１はボトムシャーシ３６０と加圧板３７０を含む組立体を薄くする程度まで低くすることができ、このような薄い組立体は液晶表示装置の厚さを薄くすることができる。
【００４９】
しかし、図３Ｂを参照すると、従来のボトムシャーシ３９０は第２高さｈ２を有する「⊂」状構造に屈曲されているが、金型構造及び屈曲工程によってボトムシャーシ３９０だけを用いて第２高さｈ２を減少させることは制限的であるため、スリムな液晶表示装置を製造することに限界があり、光源３４４を固定させる力も弱い可能性がある。例えば、第２高さｈ２は約１．４ｍｍとし、第２高さｈ２を約１ｍｍ以下に減少させることは困難である。ボトムシャーシ３９０を非常に低い高さに屈曲するとき、ボトムシャーシ３９０は破損してしまう。また、従来のボトムシャーシ３９０の「⊂」状構造は、光源を固定させるための十分な機械的強度を有しない可能性もある。
【００５０】
ボトムシャーシ３６０と加圧板３７０の「⊂」状構造は、液晶表示装置の上側、下側、左側、及び右側のうちの少なくとも一つに形成する。ボトムシャーシ３６０と加圧板３７０の「⊂」状構造は光源３４４の位置に対応して形成する。例えば、光源３４４が液晶表示装置の下側に位置する場合、ボトムシャーシ３６０と加圧板３７０の「⊂」状構造も液晶表示装置の下側に位置する。
【００５１】
図４は、本発明の一実施形態によるボトムシャーシと加圧板を概略的に示す斜視図である。
【００５２】
図４を参照すると、加圧板３７０の第１側部３７１に加圧板突出部３７６が配置し、加圧板突出部３７６は加圧板３７０の一部が延長されたものとする。加圧板３７０の第１側部３７１と加圧板突出部３７６は同一の平面上に配置する。加圧板突出部３７６はフランジ（ｆｌａｎｇｅ）形状とし、フレキシブル回路基板などの構成を含むセットブラケット（ｓｅｔ  ｂｒａｃｋｅｔ）と接続される。
【００５３】
図５は、本発明の一実施形態によるボトムシャーシと加圧板を概略的に示す斜視図である。
【００５４】
図５を参照すると、ボトムシャーシ３６０の側部３６１にボトムシャーシ突出部３６６が配置され、ボトムシャーシ突出部３６６はボトムシャーシ３６０の一部が延長されたものとする。ボトムシャーシ３６０の側部３６１とボトムシャーシ突出部３６６は同一の平面上に配置する。ボトムシャーシ突出部３６６はフランジ形状とし、フレキシブル回路基板などの構成を含むセットブラケットと接続される。
【００５５】
以上、本発明の好ましい実施形態について詳細に説明したが、本発明の権利範囲はこれに限定されず、次の請求範囲で定義している本発明の基本概念を利用した当業者の種々の変形及び改良形態も本発明の権利範囲に属するものである。
【符号の説明】
【００５６】
１００  第１表示板
２００  第２表示板
３００  液晶表示パネルアセンブリ
３４０  バックライトアセンブリ
３６０  ボトムシャーシ
【図１】
2013092749.tif 000003
【図２】
2013092749.tif 000004
【図３Ａ】
2013092749.tif 000005
【図３Ｂ】
2013092749.tif 000006
【図４】
2013092749.tif 000007
【図５】
2013092749.tif 000008